(57)【要約】【課題】極めて簡単な構造で軽量な携帯用位牌の提供。【解決手段】底面に形成された挿入口から礼札４を挿入して収容可能な収容部１０を備えた透明なケース１と、挿入口に覆い被さるようにケース１の底部に嵌合される台座２とから構成される携帯用位牌であり、透明なケース１の底面の挿入口から収容部１０内に礼札４を挿入して台座２に嵌合するだけで、携帯用位牌が得られる。【選択図】  図１
2007000294.tif 000002
【特許請求の範囲】
【請求項１】
底面に形成された挿入口から礼札を挿入して収容可能な収容部を備えた透明なケースと、
前記挿入口に覆い被さるように前記ケースの底部に嵌合される台座と
から構成される携帯用位牌。
【請求項２】
前記ケースの底面と前記台座との間に介在される弾性部材をさらに備えた請求項１記載の携帯用位牌。
【請求項３】
前記弾性部材は厚さが一定の板状ゴムである請求項２記載の携帯用位牌。
【請求項４】
前記台座は、前記ケースが嵌合される内側面に凹部を備え、
前記ケースは、前記凹部に嵌合される凸部を外側面に備えた
請求項１から３のいずれかに記載の携帯用位牌。
【請求項５】
前記ケースは、前記収容部の内面に、前記挿入口から前記収容部の奥側に向かって前記収容部の幅を徐々に狭くするリブを備えた請求項１から４のいずれかに記載の携帯用位牌。
【請求項６】
前記礼札は繰り出し位牌用の札板である請求項１から５のいずれかに記載の携帯用位牌。
【発明の詳細な説明】
【技術分野】
【０００１】
本発明は、容易に持ち運ぶことが可能な携帯用位牌に関する。
【背景技術】
【０００２】
位牌は通常、仏壇に安置して礼拝するものであるが、旅行や出張等の際に携帯したり、身に付けたりして、出先でも容易に先祖を祭りたいという要求がある。従来、携帯可能な位牌として、例えば特許文献１〜３に記載のものが知られている。
【０００３】
特許文献１に記載の位牌は、ヒンジ部を介して開閉されるカバーケース内に礼札を収納し、このカバーケースの下端を台座の上面の差込口に抜き差し可能に立て付けしたものである。また、特許文献２，３に記載の位牌は、携帯用ケース付きの位牌であり、位牌本体を汚したり傷つけたりしないようにケース内に収容するものである。
【０００４】
【特許文献１】特開２００５−１４３６６６号公報（段落００１８−００２１、図２、図５）
【特許文献２】実開平６−７７６６２号公報
【特許文献３】実開平６−７７６６３号公報
【発明の開示】
【発明が解決しようとする課題】
【０００５】
特許文献１〜３に記載の位牌は、構造が複雑であるため、携帯用とはいえ大型のものとなる。そのため、目方が重く、携帯するのに不便である。
そこで、本発明は、極めて簡単な構造で軽量な携帯用位牌を提供することを目的とする。
【課題を解決するための手段】
【０００６】
本発明の携帯用位牌は、底面に形成された挿入口から礼札を挿入して収容可能な収容部を備えた透明なケースと、挿入口に覆い被さるようにケースの底部に嵌合される台座とから構成されるものである。本発明の携帯用位牌によれば、透明なケース底面の挿入口から収容部内に礼札を挿入して台座に嵌合するだけで、携帯用位牌が得られる。
【０００７】
なお、上記のように本発明の携帯用位牌は、透明なケース底面の挿入口から収容部内に礼札を挿入して台座に嵌合するだけで簡単に得られる携帯用位牌であるが、透明なケースと礼札の材質が異なる場合、熱膨張率が異なるため、ケース底面と台座との間または礼札と台座との間にギャップを生じる可能性がある。そこで、ケースの底面と台座との間に弾性部材を介在させることで、これらのギャップを吸収させることができる。
【０００８】
ここで、弾性部材は、厚さが一定の板状ゴムであることが望ましい。これにより、ケースの底面と台座との間にこの板状ゴムを挟み込んでケースの底部に台座を嵌合するだけで、ケースの底面と台座との間が一定の距離に保たれる。
【０００９】
また、台座は、ケースが嵌合される内側面に凹部を備え、ケースが、凹部に嵌合される凸部を外側面に備えた構成とすることが望ましい。これにより、ケースを台座に嵌合した際、ケースの外側面の凸部と台座の内側面の凹部とが係り合い、ケースと台座とが固定される。
【００１０】
また、ケースは、収容部の内面に、挿入口から収容部の奥側に向かって収容部の幅を徐々に狭くするリブを備えた構成とすることが望ましい。これにより、ケースの収容部内に礼札を挿入する際、収容部の幅が収容部の奥に行くにつれて狭くなり、礼札が収容部の内壁面とリブとにより挟持される。
【発明の効果】
【００１１】
（１）底面に形成された挿入口から礼札を挿入して収容可能な収容部を備えた透明なケースと、挿入口に覆い被さるようにケースの底部に嵌合される台座とから構成されることにより、極めて簡単な構造で軽量な携帯用位牌を得られる。
【００１２】
（２）ケースの底面と台座との間に弾性部材を介在させることで、ケースと礼札との熱膨張率の違いにより生じる台座とのギャップを吸収させることができ、ケース内に収容した礼札のがたつきを防止することができる。
【００１３】
（３）厚さが一定の板状ゴムを弾性部材として用いることにより、ケースの底面と台座との間を容易に一定の距離に保つことができ、携帯用位牌の組立性が向上する。
【００１４】
（４）台座が、ケースが嵌合される内側面に凹部を備え、ケースが、凹部に嵌合される凸部を外側面に備えた構成により、ケースの外側面の凸部と台座の内側面の凹部とが係り合い、ケースと台座とが一旦固定された後は容易には外れなくなり、携帯中に携帯用位牌が分解してしまうのを防止することができる。
【００１５】
（５）ケースが、収容部の内面に、挿入口から収容部の奥側に向かって収容部の幅を徐々に狭くするリブを備えた構成により、ケースに礼札を挿入すると、礼札が収容部の内壁面とリブにより挟持されるので、礼札がケースの挿入口から落脱するのを防止することができる。
【発明を実施するための最良の形態】
【００１６】
図１は本発明の実施の形態における携帯用位牌を示す図であって、（ａ）は正面図、（ｂ）は右側面図、（ｃ）は底面図である。図２は図１のケースを示す図であって、（ａ）は正面図、（ｂ）は右側面図、（ｃ）は底面図である。図３は図１の台座を示す図であって、（ａ）は正面図、（ｂ）は右側面図、（ｃ）は平面図である。図４は図１の礼札を示す図であって、（ａ）は正面図、（ｂ）は右側面図、（ｃ）は平面図である。
【００１７】
図１に示すように、本発明の実施の形態における携帯用位牌は、透明な樹脂製のケース１と、ケース１が嵌合される嵌合部２０（図３参照。）を備えた台座２と、ケース１の底面１１（図２参照。）と台座２との間に介在される弾性部材としての厚さが一定の板状ゴム３と、礼札４とから構成される。
【００１８】
図２に示すように、ケース１の底面１１には、収容部１０へ礼札４を挿入するための挿入口１２が形成されている。また、収容部１０の内面には、挿入口１２から収容部１０の奥側すなわちケース１の天端側に向かって形成された複数のリブ１３を備える。このリブ１３は、収容部１０の幅を挿入口１２から奥側に向かって徐々に狭くするように形成されている。
【００１９】
また、ケース１の左右の外側面１４ａ，１４ｂには、それぞれ凹部としての突起１５を備える。この突起１５は、ケース１を台座２の嵌合部２０に嵌合する際、嵌合部２０の開口面２１から挿入しやすくするため、ケース１の底面１１側が斜めに形成されている。一方、図３に示す台座２は、ケース１の挿入口１２に覆い被さるようにケース１の底部１６に嵌合されるものであるが、このケース１が嵌合される内側面２２ａ，２２ｂには、ケース１の突起１５に嵌合される凹部２３を備える。
【００２０】
なお、ケース１の底部１６の外側面１４ａ，１４ｂと嵌合部２０の内側面２２ａ，２２ｂとの隙間はそれぞれ０．２ｍｍ程度に設定されており、ケース１の底部１６が台座２の嵌合部２０に嵌め込まれ、突起１５と凹部２３とが一旦係わり合った後はケース１の底部１６が台座２の嵌合部２０から外れることがない。
【００２１】
図４に示す礼札４は、ケース１の収容部１０に収容される。なお、本実施形態における礼札４は、繰り出し位牌用の札板であり、白木のもの、アクリル樹脂製のものや紙製のもの等を使用することができる。また、図示しないが、礼札４には、戒名、法名や法号等が記される。
【００２２】
上記構成の携帯用位牌は、透明なケース１の底面１１の挿入口１２から収容部１０内に礼札４を挿入し、台座２の嵌合部２０の底２４に板状ゴム３を敷いてケース１の底部１６を嵌め込み、突起１５と凹部２３とが係わり合うまで押し込むことにより得られる。こうしてケース１と台座２とが一旦固定された後は容易には外れないので、携帯中に携帯用位牌が分解してしまうことがない。
【００２３】
また、ケース１と台座２との間に介在させた板状ゴム３は厚さが一定であるため、ケース１の底面１１と台座２の底２４との間は一定に保たれ、ケース１は直立する。したがって、携帯用位牌の組立は容易に行える。また、この板状ゴム３の作用により、ケース１の収容部１０内に挿入した礼札４とケース１との材質が異なり、熱膨張量が異なる場合であっても、この熱膨張量の差が吸収され、ケース１内に収容した礼札４のがたつきが防止される。
【００２４】
また、本実施形態における携帯用位牌は、ケース１の内面に、挿入口１２から収容部１０の奥側に向かって収容部１０の幅を徐々に狭くする複数のリブ１３を備えるため、ケース１に礼札４を挿入すると、礼札４が収容部１０の内壁面とリブ１３により挟持されるので、礼札４がケース１の挿入口から容易には抜けなくなり、落脱が防止される。
【産業上の利用可能性】
【００２５】
本発明の携帯用位牌は、容易に持ち運ぶことが可能な携帯用の位牌として有用である。特に、本発明の携帯用位牌は、極めて簡単な構造で軽量な携帯用位牌として好適である。
【図面の簡単な説明】
【００２６】
【図１】本発明の実施の形態における携帯用位牌を示す図であって、（ａ）は正面図、（ｂ）は右側面図、（ｃ）は底面図である。
【図２】図１のケースを示す図であって、（ａ）は正面図、（ｂ）は右側面図、（ｃ）は底面図である。
【図３】図１の台座を示す図であって、（ａ）は正面図、（ｂ）は右側面図、（ｃ）は平面図である。
【図４】図１の礼札を示す図であって、（ａ）は正面図、（ｂ）は右側面図、（ｃ）は平面図である。
【符号の説明】
【００２７】
１  ケース
２  台座
３  板状ゴム
４  礼札
１０  収容部
１１  底面
１２  挿入口
１３  リブ
１４ａ，１４ｂ  外側面
１５  突起
１６  底部
２０  嵌合部
２１  開口面
２２ａ，２２ｂ  内側面
２３  凹部
２４  底
【図１】
2007000294.tif 000003
【図２】
2007000294.tif 000004
【図３】
2007000294.tif 000005
【図４】
2007000294.tif 000006